(57)【特許請求の範囲】
【請求項１】
輸液装置の前面側に第１被係止溝を、背面側に第２被係止溝を形成した輸液装置を着脱可能に固定する輸液装置用設置具であって、
前記輸液装置の装置基部を載置する載置面と、前記第１被係止溝を係止する係止部とを有した基部と、
前記載置面に近い位置で前記載置面と平行に前記基部に配設される第１軸体と、
前記載置面から遠い位置で前記載置面と平行に前記基部に配設される第２軸体と、
前記第２被係止溝を係止する第１係止部を有し、係止位置と解除位置との間で前記第１軸体により軸支される第１回動部材と、
前記第１回動部材を前記係止位置に移動付勢する第１付勢部材と、
前記第２被係止溝を係止する第２係止部を有し、係止位置と解除位置との間で前記第２軸体により軸支され、前記第１回動部材と隣接される第２回動部材と、
前記第２回動部材を前記係止位置に移動付勢する第２付勢部材と、
前記第１軸体に固定される操作レバーと、
前記輸液装置を載置するときには、前記第１回動部材と前記第２回動部材の双方を前記係止位置に回動させ、前記輸液装置を取り外すときには、前記操作レバーの操作により前記第１回動部材と前記第２回動部材の双方を前記解除位置に回動可能にするストッパー手段と、を備えることを特徴とする輸液装置用設置具。
【請求項２】
前記ストッパー手段は、前記第１回動部材と前記第２回動部材との間の夫々の隣接面に配設されるとともに、前記第１回動部材の前記隣接面上で前記第２回動部材に向けて突出形成される突起部と、前記第２回動部材の前記隣接面に形成され、前記突起部が当接する当接面と、前記当接面から連続形成され、前記突起部が潜入する溝部と、を備え、
前記溝部は、前記第２軸体から第１距離分が離間され、前記突起部は前記第１軸体から前記第１距離の約２倍となる第２距離分が離間されることを特徴とする請求項１に記載の輸液装置用設置具。
【請求項３】
前記第１軸体と、前記第２軸体と、前記第１回動部材と、前記第２回動部材とを副基部に予め組み付けたサブ組立体として準備し、
前記第１付勢部材と、前記第２付勢部材とを圧縮コイルバネとして準備し、前記圧縮コイルバネを前記基部と前記サブ組立体との間に設け、
前記サブ組立体を前記基部に固定した後に、前記操作レバーを前記第１軸体に固定することを特徴とする請求項１または２に記載の輸液装置用設置具。
【請求項４】
前記基部は前記載置面を水平面に対して約６０度の傾斜角度で形成するとともに、輸液スタンドのポールに対して任意の高さで固定されるクランプ装置を前記載置面の裏面側に設けてなり、前記クランプ装置を用いて前記輸液装置を水平面に対する約６０度の前傾姿勢で使用可能にするとともに、
前記操作レバーの操作後に、前記第１被係止溝を係止する前記係止部が回動支点となることで前記輸液装置が前方に向けて傾斜することを可能にし、前記輸液装置を前記載置面上から取り出し可能にすることを特徴とする請求項１乃至３のいずれか１項に記載の輸液装置用設置具。
【請求項５】
前記操作レバーは前記基部の一側面から外部に出るように構成され、前記第１回動部材と前記第２回動部材の双方が反時計周り方向に回動されて前記係止位置に位置され、前記第１回動部材を前記解除位置に回動するために前記操作レバーを時計周り方向に操作することを特徴とする請求項１乃至４のいずれか１項に記載の輸液装置用設置具。
【請求項６】
前記基部の一側面において前記操作レバーを取り囲むように形成されるガード部を備え、前記ガード部により前記操作レバーの誤操作を防止することを特徴とする請求項１乃至５のいずれか１項に記載の輸液装置用設置具。
【請求項７】
前記基部は、前記第１回動部材が前記係止位置にあることを示す動作インジケータ部を露出させる窓部と、前記操作レバーの操作方向を示す矢印表示部を備えることを特徴とする請求項１乃至６のいずれか１項に記載の輸液装置用設置具。
【請求項８】
前記輸液装置は、シリンジ式輸液ポンプであり、前記装置基部の底面には前記載置面に対する左右方向の位置決め部材を兼ねた１組の凹部が形成されることを特徴とする請求項１乃至７のいずれか１項に記載の輸液装置用設置具。
【発明の詳細な説明】
【技術分野】
【０００１】
本発明は、輸液装置用設置具に係り、特に各種の輸液装置を看護師を含む医療従事者が簡単に着脱することのできる専用設置具に関する。
【背景技術】
【０００２】
医療現場では、各種の輸液装置が使用される。輸液チューブに蠕動運動を与えることで輸液を行う蠕動式輸液ポンプやシリンジを用いて精度の高い輸液を行うように構成されたシリンジ式輸液ポンプが用いられている。（特許文献１）
従来のシリンジ式輸液ポンプを用いるためには、シリンジを装填した後のシリンジ式輸液ポンプを、輸液スタンドから起立状態で固定されたポールに対してクランプ装置を備えた設置具上にセットして輸液を行うために、この設置具の載置面上にシリンジ式輸液ポンプをネジ止めにより固定して使用される。設置具には、載置面の略中央に固定用ネジが通常設けられており、この固定用ネジをシリンジ式輸液ポンプの底面に形成された雌ネジ部に対して螺合させることで固定している。
【０００３】
また、共通の輸液スタンドのポールの上下方向に沿うように各種の輸液装置を固定することで、複数の輸液装置を同一患者に使用できるとともに、患者への輸液途中であっても、例えば手術後に患者とともに輸液装置を移動することが可能となる。
【特許文献１】特許第３５０２０８６号公報
【発明の開示】
【発明が解決しようとする課題】
【０００４】
しかしながら、上記の設置具によれば、例えばシリンジ式輸液装置である輸液装置を設置具から取り外すときに、落下防止のために一方の手で輸液装置を支えておき、他方の手で固定用ネジを何回転も回し続ける必要がある。また、固定を行う際には、これとは逆の手順を行う必要があるので面倒となる場合があった。
【０００５】
このため時間的ロスと、看護師などに対して肉体的な負担を少なからず招くので、特に日常的に緊急を要することが多い医療現場では、輸液装置の着脱操作をより簡単に行えるようにする改善が望まれていた。
【０００６】
したがって、本発明は上記の事情に鑑みてなされたものであり、輸液装置を設置具の載置位置に載せるだけで自動的に固定することができ、また操作レバーを操作した後でないと設置具の載置位置から輸液装置を取り外せないようにして、看護師を含む医療従事者による着脱作業を簡単に行うことのできる輸液装置用設置具の提供を目的としている。
【課題を解決するための手段】
【０００７】
以上の課題を解決するために、本発明によれば、輸液装置の前面側に第１被係止溝を、背面側に第２被係止溝を形成した輸液装置を着脱可能に固定する輸液装置用設置具であって、前記輸液装置の装置基部の底面を載置する載置面と、前記第１被係止溝を係止する係止部とを有した基部と、前記載置面に近い位置で前記載置面と平行に前記基部に配設される第１軸体と、前記載置面から遠い位置で前記載置面と平行に前記基部に配設される第２軸体と、前記第２被係止溝を係止する第１係止部を有し、係止位置と解除位置との間で前記第１軸体により軸支される第１回動部材と、前記第１回動部材を前記係止位置に移動付勢する第１付勢部材と、前記第２被係止溝を係止する第２係止部を有し、係止位置と解除位置との間で前記第２軸体により軸支され、前記第１回動部材と隣接される第２回動部材と、前記第２回動部材を前記係止位置に移動付勢する第２付勢部材と、前記第１軸体に固定される操作レバーと、前記輸液装置を載置するときには、前記第１回動部材と前記第２回動部材の双方を前記係止位置に回動させ、前記輸液装置を取り外すときには、前記操作レバーの操作で前記第１回動部材と前記第２回動部材の双方を前記解除位置に回動可能にするストッパー手段とを備えることを特徴としている。
【０００８】
また、前記ストッパー手段は、前記第１回動部材と前記第２回動部材との間の夫々の隣接面に配設されるとともに、前記第１回動部材の前記隣接面上で前記第２回動部材に向けて突出形成される突起部と、前記第２回動部材の前記隣接面に形成され、前記突起部が当接する当接面と、前記当接面から連続形成され、前記突起部が潜入する溝部と、を備え、前記溝部は、前記第２軸体から第１距離分が離間され、前記突起部は前記第１軸体から前記第１距離の約２倍となる第２距離分が離間されることを特徴としている。
【０００９】
また、前記第１軸体と、前記第２軸体と、前記第１回動部材と、前記第２回動部材とを副基部に予め組み付けたサブ組立体として準備し、前記第１付勢部材と、前記第２付勢部材とを圧縮コイルバネとして準備し、前記圧縮コイルバネを前記基部と前記サブ組立体との間に設け、前記サブ組立体を前記基部に固定した後に、前記操作レバーを前記第１軸体に固定することを特徴としている。
【００１０】
また、前記基部は前記載置面を水平面に対して約６０度の傾斜角度で形成するとともに、輸液スタンドのポールに対して任意の高さで固定されるクランプ装置を前記載置面の裏面側に設けてなり、前記クランプ装置を用いて前記輸液装置を水平面に対する約６０度の前傾姿勢で使用可能にするとともに、前記操作レバーの操作後に、前記第１被係止溝を係止する前記係止部が回動支点となることで前記輸液装置が前方に向けて傾斜することを可能にし、前記輸液装置を前記載置面上から取り出し可能にすることを特徴としている。
【００１１】
また、前記操作レバーは前記基部の一側面から外部に出るように構成され、前記第１回動部材が反時計周り方向に回動されて前記係止位置に位置され、前記第１回動部材と前記第２回動部材の双方を前記解除位置に回動するために前記操作レバーを時計周り方向に操作することを特徴としている。
【００１２】
また、前記基部の一側面において前記操作レバーを取り囲むガード部を備え、前記ガード部により前記操作レバーの誤操作を防止することを特徴としている。
【００１３】
また、前記基部は、前記第１回動部材が前記係止位置にあることを示す動作インジケータ部を露出させる窓部と、前記操作レバーの操作方向を示す矢印表示部を備えることを特徴としている。
【００１４】
そして、前記輸液装置は、シリンジ式輸液ポンプであり、前記装置基部の底面には前記載置面に対する左右方向の位置決め部材を兼ねた１組の凹部が形成されることを特徴としている。
【発明の効果】
【００１５】
本発明の輸液装置用設置具によれば、輸液装置を載置位置に載せるだけで自動的に固定することができ、またストッパー手段の操作レバーを操作した上で、輸液装置を回動しないないと載置面上から輸液装置を取り外せないことから、不用意に輸液装置が取り外されて落下するなどの事態を未然に防止することができる。
【発明を実施するための最良の形態】
【００１６】
以下に、本発明の好適な一実施形態について、添付の図面を参照して説明する。
【００１７】
尚、後述する説明では、シリンジ式輸液ポンプ用（シリンジポンプ）に専用設計された輸液装置用設置具（以下、設置具と言う）の構成を主に述べるが、これに限定されず特許請求の範囲に既定される各種の構成があることは言うまでもない。また、輸液装置としてはシリンジ式輸液ポンプの他に、輸液チューブの蠕動運動を行うことで輸液を行うように構成されたペリスタリックフィンガ方式の蠕動式輸液ポンプも挙げられる。しかし、これらのポンプに限定さされず、他の方式の輸液装置である例えば回転ローラを備えたローラ式輸液ポンプ等の各種の輸液装置にも適宜適用できることは言うまでもない。
【００１８】
さらに、本発明の設置具は輸液スタンドのポール以外にも、ベットの枠体や病室内の壁面などにも任意に固定して利用できる。
【００１９】
図１は、本発明の好適な一実施形態である設置具１を、シリンジを用いる輸液装置であるシリンジ式輸液装置１００とともに斜め前方から見た外観斜視図である。本図において、シリンジ式輸液装置１００は従来のタイプに比較して約１０％前後の小型化を実現するとともに、左側面からハンドル１０８を一体形成している。また、筐体を構成する装置基部１０３の底面１０４にはその側面が距離Ｗ２隔てて形成される１組の凹部１０９、１０９（破線図示）が一体形成されている。
【００２０】
また、各凹部１０９、１０９の間には上記の距離Ｗ２より短い長さを有する第１被係止溝１０１が前面１２０の略中央に形成されている。また、装置基部１０４の背面１２１の略中央には破線で図示される第２被係止溝１０２が上記の第１被係止溝１０１に対向した位置に形成されている。このシリンジ式輸液装置１００の上方の筐体にはシリンジＳの外筒（本体）のフランジ部ＳＦをセットするための溝部１０６と、シリンジの筒部を載置する載置部１０５とが一体的に形成されている。
【００２１】
さらに、シリンジ式輸液装置１００の上面には、シリンジＳの本体を固定することでシリンジの直径寸法を自動検出するように構成された把持部材１０７と、シリンジの押子ＳＰをセットするスライダー１１１が設けられている。薬液を充填後に押子ＳＰを最大の位置に引き出した状態で、このスライダー１１１に設けられたクラッチレバーを操作して押子ＳＰをセットする。そして、輸液開始時において、内蔵された不図示の機構によりスライダー１１１が矢印方向に駆動されることで、正確な送液が図示の輸液チューブを介して行われるように構成されている。
【００２２】
本発明による設置具１、１は、図示のように輸液スタンド３０１から直立されて固定されたポール３００に対してクランプ装置２００のノブ２０２を操作することで任意の高さ及び回転位置に固定される。
【００２３】
尚、図１では２台の設置具１を上下方向に固定した様子が図示されているが、１台でも良く、例えば同時に多数の薬液を送液する集中治療の場合には３台以上が固定されて使用されることは言うまでもない。各設置具１はシリンジ式輸液装置１００の底面１０４を載せるための載置面３を図示のように斜めに形成した基部２を備えている。以下に説明する各構成部品は、後述するように全てこの基部２の裏側から挿入および固定されることで、外観面にはネジ類が露出しないように配慮されている。
【００２４】
また、この基部２は、エンジニアリングプラスチックを含む樹脂材料から射出成型されることで安定的に安価に準備される。さらに、射出成型を行う関係上から偏肉防止を兼ねたリブが多数一体成型され、ネジが螺合される部分には金属部品をインサート成形するように形成される。無論、この基部２を樹脂成型品以外の金属製、木製、樹脂と金属のハイブリット材料などから準備することも可能である。
【００２５】
基部２の載置面３の幅寸法Ｗ１は、上記の凹部１０９、１０９の距離Ｗ２よりもクリアランス分少なく設定されており、シリンジ式輸液装置１００の底面１０４を載置面３上に載せるときに、装置基部１０３の前面側の各凹部１０９が載置面３上の壁部１４、１４に潜入することで、自動的に左右方向の位置決めができるようにしている。この位置決め後に、上記の第１被係止溝１０１は上方に向かう顎状に形成された係止部４中にセットされる。
【００２６】
一方、上記の装置基部１０３の裏面の第２被係止溝１０２は、載置面３に対して垂直に形成された壁部５の略中央の開口部から各係止部が図示のように夫々突出された第１回動部材１１と第２回動部材１２で係止されることで、シリンジ式輸液装置１００は前後方向の位置決めが行われ、不動状態にされることになる。
【００２７】
基部２の一側面６には、外部に出るように構成された操作レバー８を取り囲むように形成されたガード部７が一体形成される。このガード部７は操作レバー８全体を覆う壁部を図示のように連続形成するとともに、例えば人指し指が入る空間を操作レバー８との間で確保するようにして後述するように操作レバーを時計周り方向に操作可能にしている。また、例えば移動時において他の物体に衝突して操作レバー８が操作される誤操作を防ぐように配慮されている。ここで、右効きの構成であるので操作レバー８は右側に設けられるが、左効きの人には左側に操作レバーを設け、さらに回動部材についても左右勝手違いに形成するように構成しても良いことになる。
【００２８】
この基部２の目立つ部位には第１回動部材１１が係止位置にあることを示す動作インジケータ部を露出させる窓部１３が成形されている。この基部２にはさらにシリンジ式輸液装置１００との間で所望の情報交換を行う通信部１０と直流電源供給のための一対の接点９が設けられる場合もある。
【００２９】
図２は、クランプ装置２００を設置具１に固定する様子を図示した立体分解図である。本図において、既に説明済みの構成または部品については同様の符号を附して説明を割愛すると、クランプ装置２００は、基部２０１と、ノブ２０２の操作で進退する把持部材２０３を備えており、基部２０１には４箇所に皿ネジ孔部２０５が穿設されている。
【００３０】
このクランプ装置２００を設置具１に固定するために４本の皿ネジ２０６を用いて、設置具１に対して固定される。この固定のために基部２には、インサートネジ孔部を有した４箇所のスタッド２ａが形成されている。これらの４箇所のスタッド２ａの間の空間に、上記の第１回動部材１１と第２回動部材１２が位置するようにして左右方向の位置決めを行うようにしている。
【００３１】
また、上記の第１回動部材１１と第２回動部材１２を図示のように予め組み付けたサブ組立体２０を２本のネジ１８を用いて基部２に対して固定するための２個の金属部品のインサートネジ孔部２ｂが基部２に形成されている。さらに、基部２のガード部７の底面には操作レバー８のボス部８ｂを挿入するための孔部２ｃが形成されており、操作レバー８のインサート部品のネジ孔部８ｃをこの孔部２ｃに挿入した後に、６角穴付きねじ２９を用いてサブ組立体２０のステンレス製の第１軸体３１のＤカット加工面３１ａに対して螺合して一体的に固定するように構成されている。
【００３２】
以上の構成において、先ず、第１回動部材１１と第２回動部材１２の係止部が開口部１５（破線図示）から外部に出るようにサブ組立体２０をセットする。この後に２本のネジ１８を副基部２２の孔部２３に挿入して基部２のインサートネジ孔部２ｂに固定する。これに続き、操作レバー８を孔部２ｃに挿入し、６角穴付き小ねじ２９で第１軸体３１に固定する。次に、蓋体１６を被せ、クランプ装置２００の基部２０１の４箇所の皿ネジ孔部２０５に皿ネジ２０６を通し、上記のスタッド２ａに共締めして完成する。
【００３３】
以上のように特に第１回動部材１１と第２回動部材１２とを設けたサブ組立体２０を予め準備することで組み付け工程の簡素化を図るように配慮されている。ここで、個別の部品を基部２に対して直に組み付けるように構成しても良いことは言うまでもない。
【００３４】
図３は、サブ組立体２０の立体分解図である。本図において、既に説明済みの構成または部品については同様の符号を附して説明を割愛すると、副基部２２は図示のように左右の対称位置に孔部２４、２５を一体形成した樹脂部品として準備される。下方の孔部２５には第２軸体３２が第２回動部材１２の孔部１２ａを挿通した後にセットされる。また上方の孔部２４には第１軸体３１が第１回動部材１１の孔部１１ａを挿通した後にセットされる。第１回動部材１１には輸液装置１００の第２被係止溝１０２を係止する形状の第１係止部１１ｂと圧縮コイルスプリング４１をセットする突起部１１ｃと後述するストッパー手段を構成する突起部１１ｇ（破線図示）と動作インジケータ部１１ｋとがエンプラ樹脂材料を用いて形成されている。また、第２回動部材１２は、組み付け後に第１回動部材１１と隣接して設けられるとともに突起部１１ｇが当接する当接面１２ｔと、この当接面１２ｔから連続形成されて突起部１１ｇが潜入する形状を有する溝部１２ｇと補強部１２ｆと圧縮コイルスプリング４２をセットする突起部１２ｃがエンプラ樹脂材料を用いて形成されている。ここで、付勢部材として圧縮コイルバネを用いることで組み付け作業が簡単になるが、これに限定される引張りコイルバネ、トーションバネを用いるように構成しても良いことは言うまでもない。
【００３５】
次に、図４(ａ)は、サブ組立体２０を完成後に表側から見た外観斜視図、図４(ｂ)は、サブ組立体２０を完成後に裏側から見た外観斜視図である。図４(ａ)において、第１回動部材１１と第２回動部材１２は互いに隣接されており、各係止部１１ｂ、１２ｂが同じ位置に位置するように構成されている。
【００３６】
また、図４(ｂ)において、第１回動部材１１の突起部１１ｇは第２回動部材１２の当接面１２ｔ上に位置している。また、ネジ止め固定後に上記のスタッド２ａ（破線図示）により各回動部材の左右方向の位置決めがされるように固定される。
【００３７】
以上のように第１回動部材１１を第１軸体３１でまた第２回動部材１２を第２軸体３２で個別に固定することでストッパー手段が構成される。
【００３８】
図５(ａ)は、シリンジ式輸液装置１００の装着前のストッバー手段の動作説明のための断面図である。本図において、既に説明済みの構成または部品については同様の符号を附して説明を割愛すると、第１軸体３１は載置面３に近い位置で載置面と平行に基部２に配設されている。また、第２軸体３２は、載置面３から遠い位置で載置面と平行に基部に配設されている。
【００３９】
そして、載置具１は水平面に対して約６０の角度αとなる載置面３を設けている。このように載置面３を設けることで図中一点鎖線で示したシリンジ式輸液装置１００の第１被係止溝１０１を係止する係止部４が回動支点となるようにできる。この結果、シリンジ式輸液装置１００を前方に向けて傾斜することが可能になるとともに、非力な看護師であっても載置面上から容易に取り出すことが可能になる。すなわちシリンジ式輸液装置１００の全重量を支える必要がなくなる。
【００４０】
また、シリンジ式輸液装置１００を前方に向けて傾斜した状態で使用することで遠い位置からも操作状況を確認できるようになる。また、装置基部の背面１２１の第２被係止溝１０２と底面１０４との間には各係止部１１ｂ、１２ｂに無理なく当接する形状の面取り部１２１ａが形成されており、図示の状態から矢印Ｄ１方向にセットすることで各回動部材が圧縮コイルバネの付勢力に抗して回動しできるようになる。
【００４１】
図中、第１回動部材１１は実線で図示されており、第２回動部材１２は破線で、そして操作レバー８は一点鎖線で夫々図示されている。第２回動部材１２の当接面１２ｔから連続形成される溝部１１ｇは、第２軸体３２」から第１距離分Ｌ１離間される一方で、突起部１１ｇは第１軸体３１から第１距離の約２倍となる第２距離分Ｌ２離間されている。
【００４２】
以上の状態から、シリンジ式輸液装置１００を矢印Ｄ１方向にセットすると面取り部１２１ａに係止部が乗り上げて各回動部材１１、１２が時計周り方向に回動される。その後、圧縮コイルバネ４１、４２の作用で各回動部材１１、１２が反時計周り方向に回動されることで、各係止部１１ｂ、１２ｂが第２被係止溝１０２に入り込む。
【００４３】
この結果、図５(ｂ)のシリンジ式輸液装置１００の装着後のストッバー手段の動作説明図に示した状態になる。この状態から、シリンジ式輸液装置１００を矢印Ｄ２方向の手前側に引き出しても上記の突起部１１ｇが当接面１２ｔに係止しているので、各回動部材１１、１２は回動できず係止状態を保つことになる。
【００４４】
次に、図６(ａ)は、シリンジ式輸液装置１００の装着後に操作レバー８を操作した後のストッバー手段の動作説明のための断面図である。図示のように操作レバー８を時計回転方向（矢印Ｄ３）に指先で回動すると操作レバー８に固定された第１回動部材１１も同様に時計回転方向に回動される。この結果、突起部１１ｇは当接面１２ｔから溝部１２ｇ上に位置される。同時に第１回動部材１１の係止部１１ｂは第２被係止溝１０２内から退避する状態になる。
【００４５】
続いて、図６(ｂ)において、シリンジ式輸液装置１００を矢印Ｄ４方向に載置面３から取り出すと、第２回動部材１２の係止部１２ｂは第２被係止溝１０２上を滑り、溝部１２ｇ中に突起部１１ｇが入るように回動されることで退避位置になる。したがって、シリンジ式輸液装置１００を取り出せるようになる。この後、操作レバー８の操作を止めると、図５(ａ)に図示の状態に戻ることになる。
【００４６】
最後に、図７(ａ)は動作インジケータ１１ｋが窓部１３から出る位置関係を図示した側面図、図７(ｂ)はその外観斜視図である。
【００４７】
図示のように、操作レバー８のガード部７の底面には操作レバー８の操作方向を示す矢印７ａが印刷または一体成形されている。
【００４８】
以上のようにシリンジ式輸液装置１００を含む輸液装置を、着脱可能かつ載置位置での固定状態に保持することができるとともに、係止状態から非係止状態にするストッパー手段を操作レバー８を設けることで、医療従事者は簡単に着脱および交換できる。この結果、特に緊急時において迅速に対応できるので、その貢献は大きくなる。
【図面の簡単な説明】
【００４９】
【図１】は、本発明の好適な一実施形態である設置具１を、シリンジを用いる輸液装置であるシリンジ式輸液装置１００とともに斜め前方から見た外観斜視図である。
【図２】は、クランプ装置２００を設置具１に固定する様子を図示した立体分解図である。
【図３】サブ組立体２０の立体分解図である。
【図４】(ａ)は、サブ組立体２０を完成後に表側から見た外観斜視図、(ｂ)は、サブ組立体２０を完成後に裏側から見た外観斜視図である。
【図５】(ａ)は、シリンジ式輸液装置１００の装着前のストッバー手段の動作説明のための断面図、(ｂ)は、シリンジ式輸液装置１００の装着後のストッバー手段の動作説明のための断面図である。
【図６】(ａ)は、シリンジ式輸液装置１００の装着後に操作レバー８を操作した後のストッバー手段の動作説明のための断面図、(ｂ)は、シリンジ式輸液装置１００を矢印Ｄ４方向に載置面３から取り出す様子を図示した断面図である。
【図７】(ａ)は、動作インジケータ１１ｋが窓部１３から出る位置関係を図示した側面図、(ｂ)は、その外観斜視図である。
【符号の説明】
【００５０】
１  設置台
２  基部
３  載置面
４  係止部
５  壁部
６  側面
７  ガード部
８  操作レバー
１１  第１回動部材
１２  第２回動部材
１３  窓部
１４  壁部
１５  開口部
１６  蓋部材
２０  サブ組立体
２２  副基部
３１  第１軸体
３２  第２軸体
４１  圧縮コイルバネ（第１付勢部材）
４２  圧縮コイルバネ（第２付勢部材
１００  シリンジ式輸液装置
２００  クランプ装置
３００  輸液ポール
【図１】
0005048414.tif 000002
【図２】
0005048414.tif 000003
【図３】
0005048414.tif 000004
【図４】
0005048414.tif 000005
【図５】
0005048414.tif 000006
【図６】
0005048414.tif 000007
【図７】
0005048414.tif 000008